(57)【要約】【課題】鉄道車両の支障物を高精度に検知可能とする検知領域データベースを作成する。【解決手段】実施形態の検知領域データベース作成装置は、取得部と、作成部と、を備える。取得部は、鉄道車両から、当該鉄道車両が有する撮像部によって鉄道車両の進行方向を撮像して得られる撮像画像、および当該撮像画像が得られた際の鉄道車両の走行位置を取得する。作成部は、撮像画像および走行位置に基づいて、撮像画像内において鉄道車両の走行の支障となる支障物を検知する検知領域を鉄道車両の車両限界または建築限界の外側の拡大領域まで拡大する走行位置である対象位置と、拡大領域の三次元の形状を示す検知領域情報と、を対応付ける検知領域データベースを作成する。【選択図】図１
2020001476.tif 000002
【特許請求の範囲】
【請求項１】
鉄道車両から、当該鉄道車両が有する撮像部によって前記鉄道車両の進行方向を撮像して得られる撮像画像、および当該撮像画像が得られた際の前記鉄道車両の走行位置を取得する取得部と、
前記撮像画像および前記走行位置に基づいて、前記撮像画像内において前記鉄道車両の走行の支障となる支障物を検知する検知領域を前記鉄道車両の車両限界または建築限界の外側の拡大領域まで拡大する前記走行位置である対象位置と、前記拡大領域の三次元の形状を示す検知領域情報と、を対応付ける検知領域データベースを作成する作成部と、
を備える検知領域データベース作成装置。
【請求項２】
前記作成部は、前記撮像画像と、前記対象位置および前記検知領域情報を入力可能な入力欄を含む画面を表示部に表示させ、前記入力欄を用いて入力される前記検知領域情報と前記対象位置とを対応付ける前記検知領域データベースを作成する請求項１に記載の検知領域データベース作成装置。
【請求項３】
前記作成部は、さらに、画像認識処理によって、前記撮像画像から、前記対象位置を示す対象位置画像を検出し、かつ前記対象位置画像が検出されたことを示す検出情報を前記表示部に表示させる請求項２に記載の検知領域データベース作成装置。
【請求項４】
前記作成部は、さらに、作成した前記検知領域データベースに基づいて、前記撮像画像に対して、前記検知領域を示す検知領域画像を重畳したプレビュー画像を前記表示部に表示させる請求項２または３に記載の検知領域データベース作成装置。
【請求項５】
前記作成部は、さらに、画像認識処理によって、前記撮像画像から、前記鉄道車両の進路に存在する分岐器を検出し、当該検出された分岐器の後の前記鉄道車両の進路を示す進路情報を含む前記検知領域データベースを作成する請求項１から４のいずれか一に記載の検知領域データベース作成装置。
【請求項６】
前記作成部は、前記撮像画像が得られた際の前記走行位置を特定可能な地図情報を含む前記画面を前記表示部に表示させる請求項２から４のいずれか一に記載の検知領域データベース作成装置。
【発明の詳細な説明】
【技術分野】
【０００１】
本発明の実施形態は、検知領域データベース作成装置に関する。
【背景技術】
【０００２】
鉄道車両の運行に際して、鉄道車両の安全を確保するために、鉄道車両の進路上に、当該鉄道車両の走行の支障となる物体（以下、支障物と言う）が存在するか否かを確認する必要がある。駅のホームからの旅客や荷物の転落、踏切での自動車や自転車の立往生等によって鉄道車両の進路に支障物が発生し易い区間には、支障物の発生を防止する設備や、支障物を検知する検知設備の導入が進んでいる。
【０００３】
しかしながら、鉄道車両の進路に支障物が発生し易い区間に検知設備を導入する方法では、鉄道車両の進路全体において支障物を検知することは困難である。そのため、鉄道車両に搭載される撮像部によって当該鉄道車両の前方を撮像して得られる撮像画像を用いて、支障物を検知する支障物検知技術が開発されている。
【先行技術文献】
【特許文献】
【０００４】
【特許文献１】特開２０１６−５２８４９号公報
【発明の概要】
【発明が解決しようとする課題】
【０００５】
ところで、支障物検知技術では、撮像画像内における予め設定された検知領域の中から、支障物を検知するが、鉄道車両の走行位置に応じて、その検知領域を拡大することにより、鉄道車両の進路に存在する支障物をより高精度に検知することが求められている。その場合、鉄道車両の走行位置のうち検知領域を拡大する走行位置と、当該走行位置における検知領域の形状を示す検知領域情報と、を対応付ける検知領域データベースを予め作成しておくことが望ましい。検知領域データベースを作成する方法としては、鉄道車両の走行位置を上方から撮像した航空写真等を用いて作成する方法が開発されているが、航空写真等からは、駅ホームの端や、駅ホームの幅および高さ等を正確に把握することが困難であるため、鉄道車両の進路に存在する支障物を高精度に検知可能とする検知領域データベースを作成することは困難である。
【課題を解決するための手段】
【０００６】
実施形態の検知領域データベース作成装置は、取得部と、作成部と、を備える。取得部は、鉄道車両から、当該鉄道車両が有する撮像部によって鉄道車両の進行方向を撮像して得られる撮像画像、および当該撮像画像が得られた際の鉄道車両の走行位置を取得する。作成部は、撮像画像および走行位置に基づいて、撮像画像内において鉄道車両の走行の支障となる支障物を検知する検知領域を鉄道車両の車両限界または建築限界の外側の拡大領域まで拡大する走行位置である対象位置と、拡大領域の三次元の形状を示す検知領域情報と、を対応付ける検知領域データベースを作成する。
【図面の簡単な説明】
【０００７】
【図１】図１は、本実施形態にかかる鉄道用走行安全支援システムの構成の一例を示す図である。
【図２】図２は、本実施形態にかかる鉄道車両の走行支障物検知装置および検知領域データベース作成装置の制御部の機能構成の一例を示す図である。
【図３】図３は、本実施形態にかかる検知領域データベース作成装置による検知領域データベースの作成処理の一例を説明するための図である。
【図４】図４は、本実施形態にかかる検知領域データベース作成装置による検知領域データベースの作成処理の一例を説明するための図である。
【図５】図５は、本実施形態にかかる検知領域データベース作成装置による検知領域データベースの作成処理の一例を説明するための図である。
【図６】図６は、本実施形態にかかる検知領域データベース作成装置による検知領域データベースの作成処理の一例を説明するための図である。
【図７】図７は、本実施形態にかかる検知領域データベース作成装置による検知領域データベース作成処理の一例を説明するための図である。
【図８】図８は、本実施形態にかかる検知領域データベース作成装置による検知領域データベースの作成処理の一例を説明するための図である。
【図９】図９は、本実施形態にかかる検知領域データベース作成装置による検知領域データベースの作成処理の一例を説明するための図である。
【図１０】図１０は、本実施形態にかかる検知領域データベース作成装置において表示されるデータベース作成画面の一例を示す図である。
【発明を実施するための形態】
【０００８】
以下、添付の図面を用いて、本実施形態にかかる検知領域データベース作成装置を備えた鉄道用走行安全支援システムについて説明する。
【０００９】
図１は、本実施形態にかかる鉄道用走行安全支援システムの構成の一例を示す図である。本実施形態にかかる鉄道用走行安全支援システムは、図１に示すように、鉄道車両ＲＶ、および検知領域データベース作成装置Ｄを有する。鉄道車両ＲＶと検知領域データベース作成装置Ｄとは、無線通信等によって、互いに各種情報を通信可能である。
【００１０】
図１に示すように、本実施形態にかかる鉄道車両ＲＶは、センサ１０１、走行支障物検知装置１０２、記録装置１０３、表示部１０４、および位置計測部１０５を備える。
【００１１】
センサ１０１は、鉄道車両ＲＶの進行方向を撮像可能に設けられる撮像部の一例である。走行支障物検知装置１０２は、鉄道車両ＲＶの走行の支障となる物体（以下、支障物と言う）を検知する支障物検知装置である。記録装置１０３は、走行支障物検知装置１０２による支障物の検知結果を記憶する記憶部である。
【００１２】
表示部１０４は、センサ１０１によって鉄道車両ＲＶの進行方向を撮像して得られる撮像画像や、走行支障物検知装置１０２による支障物の検知結果等の各種情報を表示する。位置計測部１０５は、鉄道車両ＲＶの走行位置を計測する。本実施形態では、位置計測部１０５には、速度発電機（ＴＧ：Rate  Generator）や、衛星測位システム（ＧＮＳＳ：Global  Navigation  Satellite  System）、加速度センサ、ジャイロセンサ等を用いて、鉄道車両ＲＶの走行位置を計測する。
【００１３】
本実施形態にかかる検知領域データベース作成装置Ｄは、パーソナルコンピュータ等である。具体的には、検知領域データベース作成装置Ｄは、図１に示すように、制御部２０１と、記録装置２０２と、表示部２０３と、を有する。
【００１４】
制御部２０１は、検知領域データベース作成装置Ｄ全体を制御する。本実施形態では、制御部２０１は、対象位置と、検知領域情報と、を対応付けるデータベース（以下、検知領域データベースと言う）を作成する。ここで、対象位置は、撮像画像内において支障物を検知する領域（以下、検知領域と言う）を鉄道車両ＲＶの車両限界または建築限界の外側の拡大領域まで拡大する鉄道車両ＲＶの走行位置である。検知領域情報は、対象位置における拡大領域の三次元の形状を示す情報である。
【００１５】
記録装置２０２は、鉄道車両ＲＶが搭載されるセンサ１０１の撮像により得られる撮像画像等の各種情報を記憶する。表示部２０３は、ＬＣＤ（Liquid  Crystal  Display）等であり、検知領域データベースの作成に用いる画面（以下、データベース作成画面と言う）を表示する。
【００１６】
図２は、本実施形態にかかる鉄道車両の走行支障物検知装置および検知領域データベース作成装置の制御部の機能構成の一例を示す図である。鉄道車両ＲＶが有する走行支障物検知装置１０２は、図２に示すように、画像取得部３０１、レール認識部３０２、検知領域認識部３０３、支障物候補認識部３０４、支障物判定部３０５、および結果出力部３０６を有する。
【００１７】
本実施形態では、画像取得部３０１、レール認識部３０２、検知領域認識部３０３、支障物候補認識部３０４、支障物判定部３０５、および結果出力部３０６のうち一部若しくは全ては、鉄道車両ＲＶが有するＣＰＵ（Central  Processing  Unit）等のプロセッサが記録装置１０３等に記憶されるソフトウェアを実行することにより実現される。
【００１８】
また、画像取得部３０１、レール認識部３０２、検知領域認識部３０３、支障物候補認識部３０４、支障物判定部３０５、および結果出力部３０６のうち一部若しくは全ては、ＬＳＩ（Large  Scale  Integration）、ＡＳＩＣ（Application  Specific  Integrated  Circuit）、ＦＰＧＡ（Field  Programmable  Gate  Array）等の回路基板であるハードウェアによって実現されても良い。または、画像取得部３０１、レール認識部３０２、検知領域認識部３０３、支障物候補認識部３０４、支障物判定部３０５、および結果出力部３０６は、プロセッサによって実行されるソフトウェア、およびハードウェアの協働によって実現されても良い。
【００１９】
記憶部３０７は、ＲＯＭ（Read  Only  Memory）、フラッシュメモリ、ＨＤＤ（Hard  Disk  Drive）、ＳＤカード等の不揮発性の記憶媒体、およびＲＡＭ（Random  Access  Memory）、レジスタ等の揮発性の記憶媒体を含む。そして、記憶部３０７は、検知領域データベース等の各種情報を記憶する。
【００２０】
画像取得部３０１は、センサ１０１によって鉄道車両ＲＶの進行方向を撮像して得られる撮像画像を取得する。レール認識部３０２は、撮像画像から、鉄道車両ＲＶが走行するレールを検出する。
【００２１】
検知領域認識部３０３は、レール認識部３０２により検出したレールを基準として、撮像画像に対して三次元の検知領域を設定する。ここで、検知領域は、撮像画像内において、鉄道車両ＲＶの車両限界または建築限界によって規定される規定領域を含む三次元の領域である。
【００２２】
また、検知領域認識部３０３は、鉄道車両ＲＶが対象位置を走行する際に、検知領域を拡大領域まで拡大する。具体的には、検知領域認識部３０３は、予め、検知領域データベース作成装置Ｄから、検知領域データベースを受信しておく。検知領域データベースは、対象位置（例えば、キロ程、または、緯度および経度）と、拡大領域の三次元の形状を示す検知領域情報と、を対応付けるデータベースである。
【００２３】
本実施形態では、検知領域データベースは、鉄道車両ＲＶの進路に存在する分岐器の位置（以下、分岐位置と言う。例えば、キロ程、または、緯度および経度）と、当該分岐器の後の鉄道車両ＲＶの進路を示す進路情報と、を対応付ける。さらに、本実施形態では、検知領域データベースは、鉄道車両ＲＶの進路に存在するトンネルの位置（以下、トンネル位置と言う。例えば、キロ程、または、緯度および経度）を含む。
【００２４】
次いで、検知領域認識部３０３は、検知領域データベースにおいて、位置計測部１０５により計測される鉄道車両ＲＶの走行位置と一致する対象位置と対応付けられる検知領域情報を特定する。そして、検知領域認識部３０３は、特定した検知領域情報に基づいて、対象位置において、検知領域に拡大領域が含まれるように、検知領域を拡大する。
【００２５】
これにより、歩行者や、二輪車、自動車等がレール上を往来して鉄道車両ＲＶの走行に支障が発生し得る踏切、乗降客や荷物等が転落してレール上で鉄道車両ＲＶの走行の支障となり得る駅ホーム等を対象位置に設定することにより、車両限界または建築限界の周囲において鉄道車両ＲＶの走行の支障となる可能性が高い物体も支障物として検出可能となる。その結果、鉄道車両ＲＶの周囲の状況も把握可能となるので、鉄道車両ＲＶが踏切や駅ホーム等に接近してから物体が車両限界または建築限界に入り、鉄道車両ＲＶとの接触につながるリスクを軽減できる。
【００２６】
また、検知領域認識部３０３は、位置計測部１０５により計測される走行位置が、検知領域データベースにおいて進路情報と対応付けられる分岐位置と一致した場合、分岐器の後の複数の進路のうち、進路情報が示す進路に対してのみ検知領域を設定する。これにより、鉄道車両ＲＶが進行しない進路に存在する物体が支障物として検知されることを防止できる。
【００２７】
さらに、検知領域認識部３０３は、位置計測部１０５により計測される走行位置が、検知領域データベースが含むトンネル位置（例えば、トンネルの入口、トンネルの出口）と一致した場合、位置計測部１０５による走行位置の計測方法や、センサ１０１の撮像条件を変更する。
【００２８】
具体的には、検知領域認識部３０３は、位置計測部１０５により計測される走行位置が、検知領域データベースが含むトンネルの入口と一致した場合、位置計測部１０５による走行位置の計測方法を、衛星測位システムを用いた計測方法から、速度発電機、加速度センサ、またはジャイロセンサを用いた計測方法に切り替える。また、検知領域認識部３０３は、位置計測部１０５により計測される走行位置が、検知領域データベースが含むトンネルの入口と一致した場合、センサ１０１の感度を上げる。
【００２９】
一方、検知領域認識部３０３は、位置計測部１０５により計測される走行位置が、検知領域データベースが含むトンネルの出口と一致した場合、位置計測部１０５による走行位置の計測方法を、衛星測位システムを用いた計測方法に戻す。また、検知領域認識部３０３は、位置計測部１０５により計測される走行位置が、検知領域データベースが含むトンネルの出口と一致した場合、センサ１０１の感度を下げる。
【００３０】
支障物候補認識部３０４は、検知領域が設定された撮像画像に基づいて、検知領域内に含まれる物体を支障物の候補（以下、支障物候補と言う）として抽出する。支障物判定部３０５は、支障物候補認識部３０４により抽出される支障物候補の大きさおよび当該支障物候補の移動ベクトルの少なくとも１つに基づいて、支障物候補の中から、支障物を検知する。これにより、検知領域に存在する物体のうち、支障物となり得る可能性が高い物体を支障物として検出できるので、支障物の検知精度を向上させることができる。
【００３１】
結果出力部３０６は、支障物判定部３０５による支障物の検知結果を出力する。また、結果出力部３０６は、センサ１０１の撮像により得られる撮像画像に対して、当該撮像画像が得られた際に位置計測部１０５により計測される鉄道車両ＲＶの走行位置を付して、検知領域データベース作成装置Ｄに送信する。
【００３２】
次に、検知領域データベース作成装置Ｄの機能構成について説明する。検知領域データベース作成装置Ｄは、図２に示すように、取得部３１０、作成部３１１、出力部３１２、および記憶部３１３を備える。
【００３３】
本実施形態では、取得部３１０、作成部３１１、および出力部３１２のうち一部若しくは全ては、検知領域データベース作成装置Ｄが有するＣＰＵ等のプロセッサが記録装置２０２に記憶されるソフトウェアを実行することにより実現される。
【００３４】
また、取得部３１０、作成部３１１、および出力部３１２のうち一部若しくは全ては、ＬＳＩ、ＡＳＩＣ、ＦＰＧＡ等の回路基板であるハードウェアによって実現されても良い。または、取得部３１０、作成部３１１、および出力部３１２は、プロセッサによって実行されるソフトウェア、およびハードウェアの協働によって実現されても良い。
【００３５】
記憶部３１３は、ＲＯＭや、フラッシュメモリ、ＨＤＤ、ＳＤカード等の不揮発性の記憶媒体、およびＲＡＭやレジスタ等の揮発性の記憶媒体を含む。そして、記憶部３１３は、検知領域データベース等の各種情報を記憶する。
【００３６】
取得部３１０は、鉄道車両ＲＶから、撮像画像、および当該撮像画像が得られた際の鉄道車両ＲＶの走行位置を取得する。そして、取得部３１０は、取得した撮像画像と、当該撮像画像が得られた際の鉄道車両ＲＶの走行位置と、を対応付けて、記録装置２０２に保存する。例えば、鉄道車両ＲＶからの情報の取得は、所定の走行が行われた後、車両基地や駅等にてオフラインで行われても良いし、また、走行中に無線回線を介してリアルタイムで行われても良い。
【００３７】
作成部３１１は、記録装置２０２において対応付けて記憶される撮像画像および鉄道車両ＲＶの走行位置に基づいて、検知領域データベースを作成する。そして、作成部３１１は、作成した検知領域データベースを、記憶部３１３に保存する。
【００３８】
これにより、鉄道車両ＲＶの走行区間を上方から撮像した画像（例えば、航空写真）からは確認できない対象位置の情報（例えば、駅のホームの高さや幅）に基づいて、検知領域データベースを作成できるので、鉄道車両ＲＶの支障物を高精度に検知可能とする検知領域データベースを作成することができる。
【００３９】
ここで、検知領域データベースの一例について説明する。図３は、本実施形態にかかる検知領域データベース作成装置による検知領域データベースの作成処理の一例を説明するための図である。本実施形態では、検知領域データベースは、下記の表１に示すように、対象位置（例えば、キロ程）と、検知領域情報と、を対応付ける。
【００４０】
検知領域情報は、表１に示すように、種別番号、有効範囲Ｎ１、内側距離Ｎ２、幅Ｎ３、下側距離Ｎ４、および高さＮ５を含む。また、検知領域情報は、対象位置における拡大領域の位置情報を含んでいても良い。例えば、検知領域情報は、鉄道車両ＲＶが走行するレールＲを基準として、鉄道車両ＲＶの幅方向Ｘ（図３参照）において、拡大領域が右側および左側のいずれに位置するかを示す位置情報を含んでも良い。また、本実施形態では、検知領域データベースは、対象位置に対応付けて、検知領域データベースを鉄道車両ＲＶに送信する送信位置を特定可能とする送信位置情報を含んでいても良い。
【表１】
2020001476.tif 000003
【００４１】
種別番号は、鉄道車両ＲＶの進行方向に向かって左側の駅ホーム（対向式ホーム）、鉄道車両ＲＶの進行方向に向かって右側の駅ホーム（島式ホーム）、鉄道車両ＲＶの進行方向に向かって左側の遮断機、鉄道車両ＲＶの進行方向に向かって右側の遮断器、標識、信号、トンネル、鉄橋等、対象位置の種別を表す番号である。本実施形態では、検知領域データベース作成装置Ｄは、種別番号と、対象位置の種別と、を対応付ける種別データベース（下記の表２参照）を記憶部３１３等に予め保存している。そして、作成部３１１は、検知領域データベース作成装置Ｄのユーザが検知領域データベースを作成する際に、種別データベースを表示部２０３に表示させて、種別データベースを参照可能とする。
【表２】
2020001476.tif 000004
【００４２】
有効範囲Ｎ１は、図３に示すように、規定領域Ｔ（車両限界または建築限界）の外側に存在する拡大領域Ｅの奥行き、言い換えると、鉄道車両ＲＶの進行方向Ｚへの拡大領域Ｅの長さである。内側距離Ｎ２は、図３に示すように、鉄道車両ＲＶの幅方向Ｘにおける、レールＲの間の中間点から、拡大領域Ｅの内側の端までの距離である。幅Ｎ３は、図３に示すように、鉄道車両ＲＶの幅方向Ｘにおける、拡大領域Ｅの幅である。下側距離Ｎ４は、図３に示すように、鉄道車両ＲＶの高さ方向Ｙにおける、レールＲから、拡大領域Ｅの下側の端までの距離である。高さＮ５は、図３に示すように、鉄道車両ＲＶの高さ方向Ｙにおける、拡大領域Ｅの高さである。
【００４３】
図２に戻り、本実施形態では、作成部３１１は、撮像画像、および入力欄を含む画面（以下、データベース作成画面と言う）を表示部２０３に表示させる。ここで、入力欄は、検知領域データベース作成装置Ｄのユーザによって入力された対象位置および検知領域情報を表示する欄である。これにより、検知領域データベース作成装置Ｄのユーザは、表示部２０３に表示される撮像画像を確認しながら、対象位置および検知領域情報を入力することができるので、検知領域データベースの作成作業を容易化することができる。この場合、作成部３１１は、入力欄を用いて入力される対象位置と検知領域情報とを対応付ける検知領域データベースを作成する。
【００４４】
また、本実施形態では、作成部３１１は、画像認識処理によって、撮像画像から、対象位置のシンボルとなる画像（以下、対象位置画像と言う）を検出する。具体的には、作成部３１１は、撮像画像から、駅のホームの柵、踏切、専用の標識、信号等を対象位置画像として検出する。本実施形態では、作成部３１１は、鉄道車両ＲＶの進行方向Ｚに向かって、鉄道車両ＲＶの先端から、予め設定された距離（例えば、３０ｍ）先に存在する対象位置のシンボルとなる画像を対象位置画像として検出する。
【００４５】
そして、作成部３１１は、対象位置画像を検出した場合、当該対象位置画像を検出したことを示す検出情報（例えば、対象位置画像を検出したことを示すメッセージ）を表示部２０３に表示させる。これにより、検知領域データベース作成装置Ｄのユーザが、表示部２０３に表示される撮像画像を確認しながら、検知領域データベースを作成する際に、撮像画像に対象位置画像が含まれることを容易に認識することができるので、検知領域データベースの作成作業を容易化することができる。
【００４６】
また、本実施形態では、作成部３１１は、作成した検知領域データベースに基づいて、撮像画像に対して、検知領域を示す画像である検知領域画像を重畳したプレビュー画像を表示部２０３に表示させる。これにより、撮像画像上において検知領域を確認することができるので、鉄道車両ＲＶの支障物をより高精度に検知可能とする検知領域データベースを作成することができる。
【００４７】
また、本実施形態では、作成部３１１は、地図情報を含むデータベース作成画面を表示部２０３に表示させる。ここで、地図情報は、撮像画像が得られた際の鉄道車両ＲＶの走行位置が特定可能な地図である。これにより、検知領域データベース作成装置Ｄのユーザは、表示部２０３に表示される地図情報によって、鉄道車両ＲＶの走行区間全体を確認しながら、検知領域データベースの作成作業を行うことができるので、検知領域データベースの作成作業を容易化することができる。
【００４８】
出力部３１２は、記憶部３１３に記憶される検知領域データベースを鉄道車両ＲＶに送信（出力）する。本実施形態では、出力部３１２は、検知領域データベースが含む送信位置情報を含む場合、当該送信位置情報が示す送信位置（例えば、対象位置の手前、２００ｍの位置）に鉄道車両ＲＶが達した際に、当該送信位置情報と対応付けられた対象位置および検知領域情報を含む検知領域データベースを、鉄道車両ＲＶに送信する。
【００４９】
図４は、本実施形態にかかる検知領域データベース作成装置による検知領域データベースの作成処理の一例を説明するための図である。例えば、作成部３１１は、図４に示すように、撮像画像Ｆに含まれる駅のホームの柵を対象位置画像Ｓとして検出し、対象位置画像を検出したことを示す検出情報を表示部２０３に表示させる。そして、図４に示すように、検出した対象位置画像ＣＧが対向式ホームの画像である場合、作成部３１１は、対象位置と、鉄道車両ＲＶの進行方向Ｚにおいて規定領域Ｔ（車両限界または建築限界）の左側に存在する拡大領域Ｅの検知領域情報と、を対応付ける検知領域データベース（下記の表３参照）を作成する。
【表３】
2020001476.tif 000005
【００５０】
図５は、本実施形態にかかる検知領域データベース作成装置による検知領域データベースの作成処理の一例を説明するための図である。例えば、作成部３１１は、図５に示すように、撮像画像Ｆに含まれる駅のホームの柵を対象位置画像Ｓとして検出し、対象位置画像Ｓを検出したことを示す検出情報を表示部２０３に表示させる。そして、図５に示すように、検出した対象位置画像ＣＧが島式ホームの画像である場合、作成部３１１は、対象位置と、鉄道車両ＲＶの進行方向Ｚにおいて規定領域Ｔの右側に存在する拡大領域Ｅの検知領域情報と、を対応付ける検知領域データベース（下記の表４参照）を作成する。
【表４】
2020001476.tif 000006
【００５１】
図６は、本実施形態にかかる検知領域データベース作成装置による検知領域データベースの作成処理の一例を説明するための図である。例えば、作成部３１１は、図６に示すように、撮像画像Ｆに含まれる遮断機を対象位置画像Ｓとして検出し、当該対象位置画像Ｓを検出したことを示す検出情報を表示部２０３に表示させる。そして、図６に示すように、検出した対象位置画像ＣＧが遮断機である場合、作成部３１１は、対象位置と、規定領域Ｔの両側に存在する拡大領域Ｅの検知領域情報と、を対応付ける検知領域データベース（下記の表５参照）を作成する。
【表５】
2020001476.tif 000007
【００５２】
図６に示すように、検出した対象位置画像Ｓが遮断機でありかつ対象位置が複線である場合、作成部３１１は、鉄道車両ＲＶが走行するレールに並行して敷設されたレール側の拡大領域Ｅの幅を、鉄道車両ＲＶが走行するレール側の拡大領域Ｅの幅よりも長くするものとする。例えば、左側通行を採用している場合には、作成部３１１は、鉄道車両ＲＶの進行方向Ｚの右側に存在する拡大領域Ｅの幅を、鉄道車両ＲＶの進行方向Ｚの左側に存在する拡大領域Ｅの幅よりも長くする。
【００５３】
図７は、本実施形態にかかる検知領域データベース作成装置による検知領域データベース作成処理の一例を説明するための図である。例えば、作成部３１１は、図７に示すように、撮像画像Ｆに含まれる分岐器ＢＧを検出する。作成部３１１は、撮像画像Ｆから分岐器ＢＧが検出された場合、分岐器ＢＧの先の進路のうち鉄道車両ＲＶが進む進路を特定可能とする進路情報（例えば、直進を示す種別番号）と、分岐器ＢＧの分岐位置と、を対応付ける検知領域データベース（下記の表６参照）を作成する。
【表６】
2020001476.tif 000008
【００５４】
これにより、鉄道車両ＲＶが有する検知領域認識部３０３が撮像画像Ｆ内に検知領域を設定する際に、鉄道車両ＲＶが進む進路に対してのみ検知領域を設定することが可能となり、鉄道車両ＲＶの走行の支障となり得る支障物をより高精度に検知することが可能となる。本実施形態では、分岐器ＢＧの分岐位置は、予め設定された駅から分岐器までの距離（キロ程）である。
【００５５】
図８は、本実施形態にかかる検知領域データベース作成装置による検知領域データベースの作成処理の一例を説明するための図である。例えば、作成部３１１は、図８に示すように、撮像画像Ｆに含まれるトンネルの入口ＥＧを検出する。作成部３１１は、撮像画像Ｆからトンネルの入口ＥＧが検出された場合、トンネルの入口ＥＧを示す種別番号と、トンネルの入口ＥＧの位置であるトンネル入口位置と、を対応付けるトンネル情報を含む検知領域データベース（下記の表７参照）を作成する。
【表７】
2020001476.tif 000009
【００５６】
これにより、鉄道車両ＲＶがトンネルを通過する際に鉄道車両ＲＶが有するセンサ１０１の感度を上げて撮像画像Ｆを用いた支障物の検知精度を上げたり、鉄道車両ＲＶの走行位置の計測方法を、衛星測位システムを用いた計測方法から加速度センサやジャイロセンサ等を用いた計測方法に切り替えたりすることが可能となる。
【００５７】
図９は、本実施形態にかかる検知領域データベース作成装置による検知領域データベースの作成処理の一例を説明するための図である。例えば、作成部３１１は、図９に示すように、撮像画像Ｆに含まれるトンネルの出口ＯＧを検出する。作成部３１１は、撮像画像Ｆからトンネルの出口ＯＧが検出された場合、トンネルの出口ＯＧを示す種別番号と、トンネルの出口ＯＧの位置であるトンネル出口位置と、を対応付けるトンネル情報を含む検知領域データベース（下記の表８参照）を作成する。
【表８】
2020001476.tif 000010
【００５８】
これにより、鉄道車両ＲＶがトンネルから出る際に鉄道車両ＲＶが有するセンサ１０１の感度を下げて撮像画像Ｆの白とびを防止したり、鉄道車両ＲＶの走行位置の計測方法を、衛星測位システムを用いた計測方法に戻したりすることが可能となる。
【００５９】
図１０は、本実施形態にかかる検知領域データベース作成装置において表示されるデータベース作成画面の一例を示す図である。例えば、作成部３１１は、図１０に示すように、動画像Ｇ１、入力欄Ｇ２、地図情報Ｇ３、および各種ボタンＢ１〜Ｂ７を含むデータベース作成画面Ｇを表示部２０３に表示させる。
【００６０】
巻戻しボタンＢ１は、データベース作成画面Ｇに表示される動画像Ｇ１（撮像画像の一例）の巻戻しを指示するためのボタンである。コマ戻しボタンＢ２は、動画像Ｇ１のコマ戻しを指示するためのボタンである。停止ボタンＢ３は、動画像Ｇ１の再生の停止を指示するためのボタンである。コマ送りボタンＢ４は、動画像Ｇ１のコマ送りを指示するためのボタンである。一時停止ボタンＢ５は、動画像Ｇ１の再生の一時停止を指示するためのボタンである。早送りボタンＢ６は、動画像Ｇ１の早送りを指示するためのボタンである。作成指示ボタンＢ７は、検知領域データベースの作成を指示するためのボタンである。
【００６１】
作成部３１１は、各種ボタンＢ１〜Ｂ６の操作に応じて、動画像Ｇ１を含むデータベース作成画面Ｇを表示部２０３に表示させる。その際、作成部３１１は、図１０に示すように、動画像Ｇ１を構成する各フレームに対して、鉄道車両ＲＶのセンサ１０１によって当該フレームが得られた際の鉄道車両ＲＶの走行位置（例えば、緯度および経度、キロ程）や日時を示す場所日時情報Ｉ１を表示させる。
【００６２】
また、作成部３１１は、図１０に示すように、動画像Ｇ１を構成する各フレームにおいて対象位置画像を検出する位置（例えば、鉄道車両ＲＶの進行方向に向かって、鉄道車両ＲＶの先端から予め設定された距離（例えば、３０ｍ）先）に、鉄道車両ＲＶの幅方向Ｘに描かれる基準線Ｌを表示させる。これにより、検知領域データベース作成装置Ｄのユーザが、動画像Ｇ１内における対象位置画像の位置を容易に把握することができる。
【００６３】
地図情報Ｇ３は、動画像Ｇ１が得られた際の鉄道車両ＲＶの走行位置を含む地図である。作成部３１１は、図１０に示すように、地図情報Ｇ３に対して、鉄道車両ＲＶの走行位置を示す走行位置表示Ｐを含める。これにより、検知領域データベース作成装置Ｄのユーザは、地図情報Ｇ３によって、鉄道車両ＲＶの走行区間全体を確認しながら、検知領域データベースの作成作業を行うことができるので、検知領域データベースの作成作業を容易化することができる。
【００６４】
入力欄Ｇ２は、検知領域データベースのインデックスと、対象位置（例えば、緯度および経度、キロ程）と、検知領域情報（例えば、種別番号、有効範囲、内側距離、幅、下側距離、高さ、対象位置が属する駅または施設の情報である駅・施設情報）と、送信位置情報と、を対応付けて表示する欄である。
【００６５】
本実施形態では、作成部３１１は、入力欄Ｇ２に対して、対象位置、検知領域情報、および送信位置情報が入力されていない場合、当該入力欄Ｇ２に対して、対象位置、検知領域情報、および送信位置情報それぞれのデフォルト値を表示させるものとする。ここで、対象位置のデフォルト値は、動画像Ｇ１が得られた際の鉄道車両ＲＶの走行位置から、予め設定された距離（例えば、３０ｍ）先の走行位置とする。送信位置情報のデフォルト値は、動画像Ｇ１が得られた際の鉄道車両ＲＶの走行位置から、予め設定された距離（例えば、２００ｍ）手前の走行位置とする。検知領域情報のデフォルト値は、対象位置の種別毎に予め設定された検知領域情報とする。
【００６６】
検知領域データベース作成装置Ｄのユーザは、入力欄Ｇ２に表示される対象位置、検知領域情報、および送信位置情報のデフォルト値を参照しながら、対象位置、検知領域情報、および送信位置情報を入力欄Ｇ２に入力可能である。その後、ボタンＢ７が押下されて、検知領域データベースの作成が指示されると、作成部３１１は、入力欄Ｇ２に入力される対象位置と、検知領域情報と、送信位置情報と、を対応付けた検知領域データベースを作成する。
【００６７】
本実施形態では、作成部３１１は、入力欄Ｇ２に入力される検知領域情報を含む検知領域データベースを作成しているが、撮像画像および走行位置に基づいて、自動的に、検知領域データベースを作成するものであれば良い。例えば、作成部３１１は、撮像画像が得られた際の鉄道車両ＲＶの走行位置から予め設定された距離先の走行位置を対象位置に決定する。さらに、作成部３１１は、撮像画像上において、検知領域データベース作成装置Ｄのユーザによって指定された拡大領域（例えば、矩形の領域）の形状を、実空間における拡大領域の実寸の形状に変換する。そして、作成部３１１は、決定した対象位置と、拡大領域の実寸の形状を示す検知領域情報と、を対応付けるデータベースを検知領域データベースとして作成しても良い。
【００６８】
このように、本実施形態にかかる検知領域データベース作成装置Ｄによれば、鉄道車両ＲＶの走行区間を上方から撮像した画像からは確認できない対象位置の情報に基づいて、検知領域データベースを作成できるので、鉄道車両ＲＶの支障物を高精度に検知可能とする検知領域データベースを作成することができる。
【００６９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００７０】
１０１  センサ
１０２  走行支障物検知装置
１０３，２０２  記録装置
１０４，２０３  表示部
１０５  位置計測部
２０１  制御部
３１０  取得部
３１１  作成部
３１２  出力部
３１３  記憶部
ＲＶ  鉄道車両
Ｄ  検知領域データベース作成装置
【図１】
2020001476.tif 000011
【図２】
2020001476.tif 000012
【図３】
2020001476.tif 000013
【図４】
2020001476.tif 000014
【図５】
2020001476.tif 000015
【図６】
2020001476.tif 000016
【図７】
2020001476.tif 000017
【図８】
2020001476.tif 000018
【図９】
2020001476.tif 000019
【図１０】
2020001476.tif 000020